(57)【要約】【課題】表示領域の小さい携帯端末においてＰＣ向け文書を効率よく閲覧させる。【解決手段】サーバ１の重要部分抽出部１７が文書の重要部分を抽出し、優先順位決定部１８は抽出された重要部分の優先順位を決定する。閲覧制御情報生成部１４は、抽出された重要部分の文書内の位置情報と重要部分の優先順位から、優先順位順に重要部分を閲覧させるための閲覧制御情報を生成する。フォーマット変換部１３は元の文書ファイルを携帯電話で閲覧可能なフォーマットに変換し、入出力部１１はこの変換された文書ファイルと閲覧制御情報を携帯電話２０に送信する。携帯電話２０は、受信した閲覧制御情報を閲覧制御情報解析部２３において解析し、解析結果に基づいて受信した文書ファイルを優先順位順に重要部分を表示する。【選択図】  図１
2009075977.tif 000002
【特許請求の範囲】
【請求項１】
携帯端末で閲覧する文書内の重要部分を抽出する手段と、
前記重要部分を閲覧するための閲覧制御情報を生成する手段と、
前記文書及び前記閲覧制御情報を携帯端末に送信する手段と、
を備えたことを特徴とする携帯端末閲覧文書配信サーバ。
【請求項２】
携帯端末で閲覧する文書内の重要部分を抽出する手段と、
前記文書から携帯端末閲覧用文書を生成する手段と、
前記重要部分を閲覧するための閲覧制御情報を生成する手段と、
前記携帯端末閲覧用文書及び前記閲覧制御情報を携帯端末に送信する手段と、
を備えたことを特徴とする携帯端末閲覧文書配信サーバ。
【請求項３】
前記重要部分に優先順位を付す手段を備え、前記閲覧制御情報は前記重要部分を前記優先順位順に閲覧するための閲覧制御情報を生成することを特徴とする請求項１又は２に記載の携帯端末閲覧文書配信サーバ。
【請求項４】
前記文書内の重要部分を抽出する手段は、文書内で強調されている部分を重要部分として抽出することを特徴とする請求項１から３のいずれかに記載の携帯端末閲覧文書配信サーバ。
【請求項５】
前記文書内の重要部分を抽出する手段は、文書をテキスト領域、画像領域、及び動画領域に分類し、画像領域及び動画領域を重要部分として抽出することを特徴とする請求項１から４のいずれかに記載の携帯端末閲覧文書配信サーバ。
【請求項６】
前記文書内の重要部分を抽出する手段は、文書の領域毎の閲覧時間の累計を記憶する手段を備え、前記閲覧時間の累計が長い領域を重要部分として抽出することを特徴とする請求項１から５のいずれかに記載の携帯端末閲覧文書配信サーバ。
【請求項７】
請求項１から６のいずれかに記載の携帯端末閲覧文書配信サーバから文書又は携帯端末閲覧用文書を受信するとともに、前記文書又は携帯端末閲覧用文書の重要部分を閲覧するための閲覧制御情報を受信する手段と、
前記閲覧制御情報に基づいて前記重要部分を表示する手段と、
を備えたことを特徴とする携帯端末。
【請求項８】
携帯端末で閲覧する文書内の重要部分を抽出する手段と、
前記重要部分を閲覧するための閲覧制御情報を生成する手段と、
前記文書及び前記閲覧制御情報を携帯端末に送信する手段と、
を備えた携帯端末閲覧文書配信サーバと、
前記文書及び前記閲覧制御情報を受信する手段と、
前記閲覧制御情報に基づいて前記重要部分を表示する手段と、
を備えた携帯端末と、
から構成されていることを特徴とする携帯端末閲覧文書配信システム。
【発明の詳細な説明】
【技術分野】
【０００１】
本発明は携帯端末閲覧文書配信サーバ、携帯端末、及び携帯端末閲覧文書配信システムに係り、特に表示領域の小さい携帯端末においてＰＣ向け文書を効率よく閲覧するための携帯端末閲覧文書配信サーバ、携帯端末、及び携帯端末閲覧文書配信システムに関する。
【背景技術】
【０００２】
企業内に溢れる様々な情報は、文書のみならず画像、Webコンテンツなど多様化しており、日々増加している。これら企業内コンテンツを一元管理し企業活動の活性化、効率化を図るためのECM(Enterprise Content Management)ソリューションが普及しつつあるが、モバイル環境に適したソリューションがほとんどないのが実情である。
【０００３】
また、携帯電話においてワープロソフトや表計算ソフトの文書ファイルの表示が可能になり、携帯電話を活用して出先で文書を参照することが可能となったが、ＰＣサイズの文書ファイルを、ＰＣに比べて表示領域が格段に小さい携帯電話の画面にそのまま表示するだけであるために、実用性に乏しいという問題がある。また、携帯電話等の携帯端末は、スペックの問題から情報の記憶量や処理量に一定の制約があるため、これらの文書を一度に表示することができない場合がある。
【０００４】
このような課題に対する解決策として、特許文献１には、文書から重要部分を高速に自動抽出する技術が記載されている。この技術によれば、文書の情報量が多いために携帯電話等の比較的スペックに乏しい機器に今まで表示できなかった情報であっても、これをすばやく要約して表示することができる。
【特許文献１】特開２００７−９４８３８号公報
【発明の開示】
【発明が解決しようとする課題】
【０００５】
しかしながら、特許文献１は、複数の要約文について、どのように表示するのかについての開示はされていない。また、要約文により元の文書の重要部分を把握することができるものの、元の文書が参照できないという欠点があった。本発明はこのような事情に鑑みてなされたもので、携帯電話等の携帯端末に対して文書の重要な部分から優先的に表示させる携帯端末閲覧文書配信サーバ、携帯端末、及び携帯端末閲覧文書配信システムを提供することを目的とする。
【課題を解決するための手段】
【０００６】
前記目的を達成するために請求項１に記載の携帯端末閲覧文書配信サーバは、携帯端末で閲覧する文書内の重要部分を抽出する手段と、前記重要部分を閲覧するための閲覧制御情報を生成する手段と、前記文書及び前記閲覧制御情報を携帯端末に送信する手段とを備えたことを特徴とする。
【０００７】
これにより、携帯電話等の携帯端末に対して文書の重要な部分から優先的に表示させることができ、効率よく文書を閲覧することができる。
【０００８】
前記目的を達成するために請求項２に記載の携帯端末閲覧文書配信サーバは、携帯端末で閲覧する文書内の重要部分を抽出する手段と、前記文書から携帯端末閲覧用文書を生成する手段と、前記重要部分を閲覧するための閲覧制御情報を生成する手段と、前記携帯端末閲覧用文書及び前記閲覧制御情報を携帯端末に送信する手段とを備えたことを特徴とする。
【０００９】
これにより、携帯電話等の携帯端末に対して文書の重要な部分から優先的に表示させることができ、効率よく文書を閲覧することができる。
【００１０】
請求項３に示すように請求項１又は２に記載の携帯端末閲覧文書配信サーバにおいて、前記重要部分に優先順位を付す手段を備え、前記閲覧制御情報は前記重要部分を前記優先順位順に閲覧するための閲覧制御情報を生成することを特徴とする。
【００１１】
これにより、文書の重要部分を優先順位順に表示させることができる。
【００１２】
請求項４に示すように請求項１から３のいずれかに記載の携帯端末閲覧文書配信サーバにおいて、前記文書内の重要部分を抽出する手段は、文書内で強調されている部分を重要部分として抽出することを特徴とする。
【００１３】
これにより、文書内の重要部分を適切に抽出することができる。
【００１４】
請求項５に示すように請求項１から４のいずれかに記載の携帯端末閲覧文書配信サーバにおいて、前記文書内の重要部分を抽出する手段は、文書をテキスト領域、画像領域、及び動画領域に分類し、画像領域及び動画領域を重要部分として抽出することを特徴とする。
【００１５】
これにより、文書内の重要部分を適切に抽出することができる。
【００１６】
請求項６に示すように請求項１から５のいずれかに記載の携帯端末閲覧文書配信サーバにおいて、前記文書内の重要部分を抽出する手段は、文書の領域毎の閲覧時間の累計を記憶する手段を備え、前記閲覧時間の累計が長い領域を重要部分として抽出することを特徴とする。
【００１７】
これにより、文書内の重要部分を適切に抽出することができる。
【００１８】
前記目的を達成するために請求項７に記載の携帯端末は、請求項１から６のいずれかに記載の携帯端末閲覧文書配信サーバから文書又は携帯端末閲覧用文書を受信するとともに、前記文書又は携帯端末閲覧用文書の重要部分を閲覧するための閲覧制御情報を受信する手段と、前記閲覧制御情報に基づいて前記重要部分を表示する手段とを備えたことを特徴とする。
【００１９】
これにより、受信した文書の重要な部分から優先的に表示することができ、効率よく文書を閲覧することができる。
【００２０】
前記目的を達成するために請求項８に記載の携帯端末閲覧文書配信システムは、携帯端末で閲覧する文書内の重要部分を抽出する手段と、前記重要部分を閲覧するための閲覧制御情報を生成する手段と、前記文書及び前記閲覧制御情報を携帯端末に送信する手段とを備えた携帯端末閲覧文書配信サーバと、前記文書及び前記閲覧制御情報を受信する手段と、前記閲覧制御情報に基づいて前記重要部分を表示する手段とを備えた携帯端末とから構成されていることを特徴とする。
【００２１】
これにより、携帯電話等の携帯端末に対して文書の重要な部分から優先的に表示させることができ、効率よく文書を閲覧することができる。
【発明の効果】
【００２２】
本発明によれば、携帯電話等の携帯機器に対して文書の重要な部分から優先的に表示させることにより、ＰＣ向け文書を効率よく閲覧することができる携帯端末閲覧文書配信サーバ、携帯端末、及び携帯端末閲覧文書配信システムを提供することができる。
【発明を実施するための最良の形態】
【００２３】
以下、添付図面に従って本発明を実施するための最良の形態について説明する。
【００２４】
図１は、本発明が適用されたサーバ１及びサーバ１から送信された文書を表示する携帯電話２０のブロック図である。サーバ１は、携帯電話向けのドキュメント配信サーバとなっており、入出力部１１、参照用リスト作成部１２、フォーマット変換部１３、閲覧制御情報生成部１４、文書管理テーブル１５、文書データベース１６、重要部分抽出部１７、優先順位決定部１８、及び文書検索部１９から構成されている。またサーバ１と携帯電話２０は通信ネットワークを介して接続することができ、これらの構成要素により、ＰＣのワープロソフト等で作成されたＰＣ向け文書を、携帯電話で閲覧するための携帯電話閲覧用文書に変換し、携帯電話に配信することが可能となっている。
【００２５】
また、携帯電話２０は、入出力部２１、閲覧制御情報解析部２２、表示部２３、及び表示滞在時間計測部２４等から構成されており、サーバ１から配信された携帯電話閲覧用文書の表示を行うことが可能となっている。
【００２６】
図２は、サーバ１の文書変換処理及び配信処理を示すフローチャートである。
【００２７】
文書データベース１６にＰＣ向け文書ファイルを登録する際、重要部分抽出部１７が文書内から重要であると考えられる部分を抽出する（ステップＳ２１）。次に、ステップＳ２１において抽出した重要部分について、優先順位決定部１８が優先順位を付ける（ステップＳ２２）。
【００２８】
重要部分抽出部１７における重要部分の抽出、及び優先順位決定部１８における優先順位の決定は、以下のアルゴリズムを用いて行う。
（１）強調されている部分（フォント、色、サイズ）を自動識別し、強調されている部分を重要部分と判断し、優先順位を高くする。例えば、ゴシックや太文字が含まれるテキスト領域、黒文字以外の色の文字を含むテキスト領域、フォントサイズが大きいテキスト領域の優先順位を高くする。
（２）文書をテキスト領域、画像領域、動画領域などに分類し、動画領域、画像領域を重要部分と判断し、優先順位を高くする。
【００２９】
なお、重要部分の抽出と優先順位の決定は、手動で行ってもよい。
【００３０】
上記のように抽出した重要部分の文書内の位置及びその優先順位を、元のＰＣ向け文書ファイルに関連付けて登録する（ステップＳ２３）。関連付けは、文書管理テーブル１５により管理される。図３は、文書管理テーブル１５のデータ構造を例示した図である。同図に示すように、１つの登録文書に対して「文書ＩＤ」、「ファイル名」、「種別」、「重要部分の位置」、「優先順位」、後述する「携帯電話閲覧用ファイルＩＤ」、及び「閲覧制御情報ＩＤ」という各フィールドのデータのまとまりが１件分のレコードを構成している。
【００３１】
次に、フォーマット変換部１３が、ＰＣ向け文書ファイルから携帯電話閲覧用文書ファイルを生成して記憶する（ステップＳ２４）。一般に、ＰＣ向け文書ファイルは、その文書ファイルを作成したソフトウェアが必要となり、そのままでは携帯電話に表示させることができない。携帯電話閲覧用への変換方法としては、表示ドキュメントをそのまま画像に変換する、などの方法が知られている。また、ＰＣ向け文書ファイルに関連付けられた重要部分の文書内の位置及び優先順位に基づいて、重要部分を優先順位順に閲覧するための閲覧制御情報を生成し（ステップＳ２５）、携帯電話閲覧用ファイルと閲覧制御情報を関連付けて登録する（ステップＳ２６）。この携帯電話閲覧用ファイルと閲覧制御情報は、文書管理テーブル１５により元のＰＣ向け文書ファイルと関連づけて管理される。なお、閲覧制御情報には優先順位が無くてもよい。この場合の閲覧制御情報は、重要部分を文書の前の方から閲覧する情報とすればよい。
【００３２】
次に、参照用リスト作成部１２は、携帯電話閲覧用ファイルの文書名を携帯電話閲覧用ファイルリストに登録し（ステップＳ２７）、さらにそれぞれの携帯電話閲覧用ファイルの重要部分を基に、外部から検索可能とするための文書探索用インデックスを生成する（ステップＳ２８）。
【００３３】
携帯電話２０は、サーバ１に接続し、サーバ１に登録された文書の中から閲覧したい文書を指定することが可能である。入出力部１１は、サーバ１にアクセスしてきた携帯電話２０に対して、閲覧する文書を指定するための各種案内画面を提供し、また指定された文書のデータを携帯電話２０に送信する。尚、入出力部１１は、サーバ１にアクセスしてきたユーザに対して最初にパスワード等の入力を促し、そのユーザがアクセス権限を有するか否かのユーザ認証も行っている。そして、アクセス権限があると認証されたユーザのみが文書を閲覧することができるようになっている。
【００３４】
閲覧したい文書の指定は、携帯電話２０において検索クエリを発行し（ステップＳ２９）、文書検索部１９が文書探索用インデックスに記憶された重要部分を照合することにより該当する文書のリストを生成し、この文書のリストを入出力部１１が携帯電話２０に送信する（ステップＳ３０）。携帯電話２０においてこのリストの表示を行い、ユーザは閲覧したい文書を指定する（ステップＳ３１）。なお、検索を行うのではなく、サーバ１が携帯電話閲覧用ファイルリストを携帯電話２０に送信し、携帯電話２０において携帯電話閲覧用ファイルリストの中から所望の文書を選択することにより文書の指定を行ってもよい。
【００３５】
上記のように、携帯電話２０から閲覧したい文書の指定を行うと、サーバ１は、指定された携帯電話閲覧用ファイル及びこのファイルの閲覧制御情報を携帯電話２０に送信する（ステップＳ３２）。
【００３６】
携帯電話２０は、入出力部２１により、携帯電話閲覧用ファイル及びこのファイルの閲覧制御情報を受信する。受信した閲覧制御情報を閲覧制御情報解析部２２により解析し、解析結果に基づいて、受信した携帯電話閲覧用ファイルを表示部２３に表示する（ステップＳ３３）。例えば、指定した文書ＩＤが「１」であるとすると、図３に示すように、携帯電話２０は、まず最初にこの文書における優先順位が１位である３ページ目の画像を表示する。この重要部分の閲覧を終了したユーザは、携帯電話２０の操作部を操作することにより、次の重要部分を表示することが可能である。携帯電話２０の操作部が操作されると、携帯電話２０は、優先順位２位である１ページ目の１２〜１５行目の表示を行う。さらに携帯電話２０の操作部が操作されると、次に優先順位３位である５ページ目の９〜１１行目の表示を行う。
【００３７】
全ての重要部分の表示が終了したら、携帯電話２０は通常の文書表示を行う。また、所定の操作を行うことにより、重要部分を繰り返し表示してもよい。なお、携帯電話２０は、表示滞在時間計測部２４により、携帯電話閲覧用ファイルのどの部分がどのくらいの時間表示されていたかを計測することができる。計測した表示滞在時間及び表示部分のデータは入出力部２１を介してサーバ１に送信され、サーバ１の重要部分抽出部１７はこのデータを基にこの文書の重要部分をさらに抽出し、文書管理テーブル１５を更新する。
【００３８】
この表示滞在時間については、ユーザ別に表示滞在時間を集計してもよいし、複数のユーザの表示滞在時間の合計を集計してもよい。ユーザ別に集計する場合は、ユーザ別の重要部分を抽出することが可能となり、複数のユーザの合計を集計する場合は、初めてその文書を閲覧するユーザでも、多数の人が注視した部分を優先的に閲覧できる効果がある。
【００３９】
本実施の形態では、携帯電話において表示を行う説明を行ったが、表示を行う携帯機器は携帯電話に限られるものではなく、ＰＤＡやデジタルカメラ等、表示部を備えた携帯機器であれば何でもよい。
【００４０】
このように、文書の重要な部分から優先的に表示させることにより、表示領域が小さい携帯電話の画面においても、効率よく文書の閲覧を行うことができる。
【図面の簡単な説明】
【００４１】
【図１】図１は、サーバ１及び携帯電話２０のブロック図である。
【図２】図２は、サーバ１の文書変換処理及び配信処理を示すフローチャートである。
【図３】図３は、文書管理テーブル１５のデータ構造を例示した図である。
【符号の説明】
【００４２】
１…サーバ、１１…入出力部、１２…参照用リスト作成部、１３…フォーマット変換部、１４…閲覧制御情報生成部、１５…文書管理テーブル、１６…文書データベース、１７…重要部分抽出部、１８…優先順位決定部、１９…文書検索部、２０…携帯電話、２１…入出力部、２２…閲覧制御情報解析部、２３…表示部、２４…表示滞在時間計測部
【図１】
2009075977.tif 000003
【図２】
2009075977.tif 000004
【図３】
2009075977.tif 000005